(57)【要約】  少なくとも１の湾曲部を介して、爪先側へ延びる板ばね状の足部を有する競技用義足の、前記爪先から前記湾曲部側へ弧状に延在する接地域に装着するソールであって、該ソールは、前記接地域の延在形状に従う形状の底面を有し、該底面は、前記ソールの幅方向に延びる複数の幅方向溝によって区画される、少なくとも１つの幅方向陸部を有し、前記幅方向陸部は、前記複数の幅方向溝に面する両側壁が、該複数の幅方向溝の溝底側から接地面側に向かう階段状であることを特徴とする。
2019203287.tif 000002
【特許請求の範囲】
【請求項１】
少なくとも１の湾曲部を介して、爪先側へ延びる板ばね状の足部を有する競技用義足の、前記爪先から前記湾曲部側へ弧状に延在する接地域に装着するソールであって、
該ソールは、前記接地域の延在形状に従う形状の底面を有し、
該底面は、前記ソールの幅方向に延びる複数の幅方向溝によって区画される、少なくとも１つの幅方向陸部を有し、
前記幅方向陸部は、前記複数の幅方向溝に面する両側壁が、該複数の幅方向溝の溝底側から接地面側に向かう階段状であることを特徴とする、競技用義足のソール。
【請求項２】
前記複数の幅方向溝に面する両側壁が、該複数の幅方向溝から接地面側に向かう二段の階段状である、請求項１に記載の競技用義足のソール。
【請求項３】
前記幅方向陸部の延在方向に直交する最大長さｗ１と、前記幅方向陸部の前記接地面の、前記幅方向陸部の延在方向に直交する長さｗ２とは、以下の式（１）の関係を満足する、請求項１又は２に記載の競技用義足のソール。
（式（１））０．３≦（ｗ１−ｗ２）／ｗ１≦０．９
【請求項４】
前記幅方向陸部の前記ソールの厚み方向における最大高さｈ１と、前記幅方向陸部の前記接地面を含む段の最大高さｈ２とは、以下の式（２）の関係を満足する、請求項１〜３のいずれかに記載の競技用義足のソール。
（式（２））０．２５≦ｈ２／ｈ１≦０．６７
【請求項５】
前記幅方向陸部の最も溝底側の段が、前記接地面側から前記溝底側に向かって、前記幅方向陸部の延在方向に直交する長さが漸増する形状を有する、請求項１〜４のいずれかに記載の競技用義足のソール。
【発明の詳細な説明】
【技術分野】
【０００１】
この発明は、競技用義足の接地域に装着されるソール、特に、防滑性能の向上及び接地面積の確保を両立させた競技用義足のソールに関する。
【背景技術】
【０００２】
従来、湾曲部を介して爪先側へ延びる板ばね状の足部を有し、接地域が爪先から湾曲部側に弧状に延在する、競技用の義足（以下、競技用義足又は単に義足ともいう）が知られている。このような板ばね状の足部を有する競技用義足には、接地域の底面に、路面と当接するソールが取付けられるのが一般的である。【０００３】
例えば、特許文献１には、湾曲した板ばね状の競技用義足の下面に取り付けられた、ジョギングやランニング等の競技種目に応じたソールが例示されている。即ち、特許文献１には、路面に接地するソールの下面に、スパイクが取り付けられたソールや、各々が六角形状の接地面を有する多数のアウトソール部が設けられたソールが記載されている。
【先行技術文献】
【特許文献】
【０００４】
【特許文献１】特開２０１６−１５０１８９号公報
【発明の概要】
【発明が解決しようとする課題】
【０００５】
しかしながら、特許文献１に例示されているソールでは、義足が滑るのを抑制すること、即ち防滑性については何ら考慮されていない。例えば、降雨時等に競技を行う場合には濡れた路面を走ることになる。その際、路面に水膜が存在すると、ソールの底面と路面との間に水膜が介在し、ソール底面の接地が阻まれる結果、スリップが発生する。特に、アスファルトや、石畳等の摩擦係数μの低い路面では、義足の着用者がさらに加速することを躊躇する場合があった。そこで、義足の着用者が競技者としての走行技能を十二分に発揮するために、高い防滑性能を有するソールが求められている。【０００６】
また、競技用義足を用いた競技の全体的なスピードアップに伴い、安定した走行を可能とするため、路面に対する接地面積の確保が課題とされている。【０００７】
そこで、本発明の目的は、防滑性能の向上及び接地面積の確保を実現した競技用義足のソールを提供することにある。
【課題を解決するための手段】
【０００８】
発明者は、前記課題を解決する手段について鋭意研究した。即ち、競技用義足のソールの底面について詳細に検討を行ったところ、該底面に溝を設けて凹凸によるエッジ成分を付与し、このエッジ成分を介して路面に対するグリップ力を確保することによって、走る際の滑り（スリップ）を防止し得ることに想到した。さらに、凹凸の形状を工夫することによって、路面に対する接地面積の確保が可能となることを見出し、本発明を完成するに至った。【０００９】
本発明の競技用義足のソールは、少なくとも１の湾曲部を介して、爪先側へ延びる板ばね状の足部を有する競技用義足の、前記爪先から前記湾曲部側へ弧状に延在する接地域に装着するソールであって、該ソールは、前記接地域の延在形状に従う形状の底面を有し、該底面は、前記ソールの幅方向に延びる複数の幅方向溝によって区画される、少なくとも１つの幅方向陸部を有し、前記幅方向陸部は、前記複数の幅方向溝に面する両側壁が、該複数の幅方向溝の溝底側から接地面側に向かう階段状であることを特徴とする。
【発明の効果】
【００１０】
本発明により、防滑性能の向上及び接地面積の確保を実現した競技用義足のソールを提供することができる。
【図面の簡単な説明】
【００１１】
【図１】本発明の一実施形態に係るソールが装着された競技用義足の側面図である。
【図２】本発明の一実施形態に係るソールの底面のパターンを示す図である。
【図３Ａ】図２のＩＩ−ＩＩ線断面図である。
【図３Ｂ】幅方向陸部のバリエーションを示す図である。
【図３Ｃ】幅方向陸部のバリエーションを示す図である。
【図３Ｄ】幅方向陸部のバリエーションを示す図である。
【図４Ａ】競技用義足が着用され、着用者が直進して走る場合における、足部の動作と接地形態を段階的に説明するための図である。
【図４Ｂ】競技用義足が着用され、着用者が直進して走る場合における、足部の動作と接地形態を段階的に説明するための図である。
【図４Ｃ】競技用義足が着用され、着用者が直進して走る場合における、足部の動作と接地形態を段階的に説明するための図である。
【図４Ｄ】競技用義足が着用され、着用者が直進して走る場合における、足部の動作と接地形態を段階的に説明するための図である。
【図５】本発明の他の実施形態に係るソールの底面のパターンを示す図である。
【発明を実施するための形態】
【００１２】
以下、図面を参照しながら本発明の競技用義足のソール（以下、ソールとも称する）を、その実施形態を例示して詳細に説明する。
【００１３】
図１は、本発明の第１実施形態に係るソール５が装着された競技用義足１の側面図である。競技用義足１は、板ばね状の足部２を有し、その先端側の接地域にソール５を装着する。なお、図示は省略しているが、足部２の基端部は、アダプタを介してソケットに接続され、ソケットに着用者の足の断端を収容することによって、着用者が義足を着用することができる。アダプタ及びソケットは、大腿義足、下腿義足等、足の断端位置に応じたものが用いられる。図１は、競技用義足１を着用した着用者の直立状態における足部２及びソール５を示している。
【００１４】
以下、本実施形態では、競技用義足の高さ方向において、足部２がアダプタと接続される側を接続側といい、路面Ｓと接地する側を接地側という。また、競技用義足１の爪先Ｔとは、足部２が接続側から延びて終端する最先の点を指す。
【００１５】
本実施形態において、競技用義足１の足部２は、少なくとも１の湾曲部、図示例では１の湾曲部３を介して、爪先Ｔ側へ板状に延びる形状を有している。図１では、足部２は、接続側から接地側へ順に、直線部２ａ、爪先Ｔ側へ凸の曲線部２ｂ、足部前後方向Ｙの後側へ凸の湾曲部３、接地側に凹の曲線部２ｃ及び接地側に凸となる弧状に爪先Ｔ側に延びる接地部４からなる。
【００１６】
なお、足部２に材質は限定されないが、強度及び軽量化の観点から、炭素繊維強化プラスチック等を用いることが好適である。
【００１７】
接地部４は、接地側に、爪先Ｔから湾曲部３側へ弧状に延在する接地域４ｓを有し、この接地域４ｓにソール５が装着されている。接地域４ｓは、競技用義足１を着用した着用者が直進走行動作を行った際に、路面Ｓと当接する全領域を指し、ソール５が装着された状態では、接地域４ｓは、ソール５を介して路面Ｓと当接する。
【００１８】
ソール５の材質は特に限定されないが、例えばゴム等を用いることができる。
【００１９】
ソール５は、接地域４ｓの延在形状に従う形状を有している。また、ソール５の接地側が、ソール底面５ｓである。図１に示すとおり、ソール底面５ｓは、爪先Ｔ側から湾曲部３側へ、弧Ｘ１及びＸ２が連なる形状を有している。本実施形態では、弧Ｘ１と弧Ｘ２とは、互いに異なる曲率半径を有しているが、同じ曲率半径を有していてもよい。
【００２０】
以下、ソール底面５ｓが爪先Ｔ側から湾曲部３側に延在する方向を、Ｙ方向といい、このＹ方向と直交するソール底面５ｓの幅方向を、Ｗ方向という。さらに、ソール５の厚み方向をＺ方向という。
【００２１】
図２は、本発明の一実施形態に係るソール底面５ｓのパターンを示す図である。図示例では、ソール底面５ｓに、Ｗ方向に延びる複数の幅方向溝２０によって区画される、少なくとも１つの幅方向陸部１０、図示例では３列の幅方向陸部１０が配置されている。
【００２２】
図３Ａは、幅方向陸部１０の延在方向に直交する断面視、即ち図２のＩＩ−ＩＩ線断面図である。図に示すとおり、幅方向陸部１０は、複数の幅方向溝２０に面する両側壁１０Ｗａ及び１０Ｗｂが、複数の幅方向溝２０の溝底２０ｂ側から接地面１０ｓ側に向かう２段の階段状である。図示例では、側壁１０Ｗａは、溝底２０ｂ側から１段目の段Ｐ１を構成する、Ｚ方向に延びる側壁部分Ｓａ１及びＹ方向に延びる側壁部分Ｃａ１を有し、さらに、側壁部分Ｃａ１から接地面１０ｓに向かってＺ方向に延びる側壁部分Ｓａ２を有している。また、側壁１０Ｗｂは、溝底２０ｂ側から１段目の段Ｐ１を構成する、Ｚ方向に延びる側壁部分Ｓｂ１及びＹ方向に延びるＣｂ１を有し、さらに、側壁部分Ｃｂ１から接地面１０ｓに向かってＺ方向に延びる側壁部分Ｓｂ２を有している。なお、本実施形態では、側壁部分Ｓａ２及びＳｂ２と、接地面１０ｓとが構成する段を、２段目の段Ｐ２という。
【００２３】
側壁１０Ｗａ及び１０Ｗｂを階段状とすることによって、ソール底面５ｓに高いエッジ機能を付与し、幅方向陸部１０に競技用義足１の着用者が直進走行動作を行った際に、路面Ｓに対するグリップ力を発揮させ、防滑性能の向上を図ることができる。さらに、路面Ｓ側、即ち２段目の段Ｐ２が先に路面Ｓに接地して圧縮されると、１段目の段Ｐ１と路面Ｓとの間に介在した水が路面Ｓ側に押し出され、水分を効率的に排出することができるため、排水性能が向上し、より高い防滑性能を得ることができる。また、２段目の段Ｐ２が圧縮されることにより、１段目の段Ｐ１の側壁部分Ｃａ及びＣｂ１も路面Ｓに接地することができるため、接地面積を確保することができる。
【００２４】
両側壁１０Ｗａ及び１０Ｗｂは、階段状であれば段数は任意であるが、２段の階段状とする構成によれば、幅方向陸部１０の高い剛性を維持しながら、排水性能を高めることができる。
【００２５】
なお、本実施形態において、幅方向陸部１０の、Ｚ方向における高さｈ１と、幅方向陸部１０の延在方向に直交する方向における最大長さｗ１とは、高さｈ１が長さｗ１に対して１．５倍以上１０．０倍以下であることが好ましい。この構成によれば、競技用義足１の着用者の走行に際して、ソール底面５ｓに適切な柔軟性を持たせながら、幅方向陸部１０に十分な剛性を付与することができる。
【００２６】
また、幅方向陸部１０の延在方向に直交する最大長さｗ１と、幅方向陸部の接地面１０ｓの、幅方向陸部１０の延在方向に直交する長さｗ２とは、以下の式（１）の関係を満足する、ことが好ましい。
（式（１））０．３≦（ｗ１−ｗ２）／ｗ１≦０．９
幅方向陸部１０の最大長さｗ１と、接地面１０ｓの長さｗ２との関係（ｗ１−ｗ２）／ｗ１を、０．３以上とすることによって、階段状の側壁による排水性能をより効果的に発揮することができ、０．９以下とすることによって、幅方向陸部１０の最初の接地の瞬間における接地面積を十分に確保することができ、防滑性能を高めることができる。
【００２７】
なお、幅方向陸部１０の延在方向に直交する最大長さｗ１は、２．０ｍｍ以上８．０ｍｍ以下とすることが好ましい。２．０ｍｍ以上とすることにより、幅方向陸部１０に十分な陸部剛性を付与すると共に、８．０ｍｍ以下とすることによって、Ｙ方向におけるソール底面５ｓの柔軟性を維持することができる。好適には、長さｗ１は３．０ｍｍ以上６．５ｍｍ以下であり、より好適には、３．８ｍｍ以上４．５ｍｍ以下である。
【００２８】
また、幅方向陸部の接地面１０ｓの、幅方向陸部１０の延在方向に直交する長さｗ２は、０．５ｍｍ以上２．５ｍｍ以下とすることが好ましい。０．５ｍｍ以上とすることによって、幅方向陸部１０の最初の接地の瞬間における接地面積を十分に確保することができ、防滑性能を高めることができる。さらに、２．５ｍｍ以下とすることによって、階段状の側壁による排水性能をより効果的に発揮することができる。
【００２９】
また、幅方向陸部１０のＺ方向における最大高さｈ１と、幅方向陸部１０の接地面１０ｓを含む段Ｐ２の最大高さｈ２とは、以下の式（２）の関係を満足することが好ましい。
（式（２））０．２５≦ｈ２／ｈ１≦０．６７
路面Ｓと最初に当接する、接地面１０ｓを含む段Ｐ２の高さを、幅方向陸部１０の最大高さｈ１に対して０．２５倍以上とすることによって、階段状の側壁による排水性能をより効果的に発揮することができ、０．６７倍以下とすることによって、競技用義足１の着用者の走行に際して、ソール底面５ｓに適切な柔軟性を持たせながら、幅方向陸部１０に十分な剛性を付与することができる。
【００３０】
なお、幅方向陸部１０のＺ方向における最大高さｈ１は、１．０ｍｍ以上７．０ｍｍ以下とすることが好ましい。１．０ｍｍ以上とすることによって、排水性能を十分に確保することができ、７．０ｍｍ以下とすることによって、競技用義足１の着用者の走行に際して、ソール底面５ｓの柔軟性と剛性とを両立することができる。より好適には、２．０ｍｍ以上３．５ｍｍ以下であり、さらに好適には、２．４ｍｍ以上３．５ｍｍ以下である。
【００３１】
また、幅方向陸部１０接地面１０ｓを含む段Ｐ２のＺ方向における最大高さｈ２は、０．５ｍｍ以上２．５ｍｍ以下とすることが好ましい。０．５ｍｍ以上とすることによって、階段状の側壁による排水性能をより効果的に発揮することができ、２．５ｍｍ以下とすることによって、競技用義足１の着用者の走行に際して、ソール底面５ｓに適切な柔軟性を持たせながら、幅方向陸部１０に十分な剛性を付与することができる。より好適には、最大高さｈ２は０．７ｍｍ以上１．５ｍｍ以下であり、さらに好適には、１．２ｍｍ以上１．５ｍｍ以下である。
【００３２】
幅方向陸部１０の形状のバリエーションを以下に示す。
図３Ｂは、両側壁１０Ｗａ2及び１０Ｗｂ2を３段の階段状とした幅方向陸部１０を示している。図示例では、側壁１０Ｗａ2は、溝底２０ｂ側から１段目の段Ｐ１を構成する、Ｚ方向に延びる側壁部分Ｓａ１及びＹ方向に延びる側壁部分Ｃａ１を有し、２段目の段Ｐ２を構成する、側壁部分Ｃａ１から接地面１０ｓ側に向かってＺ方向に延びる側壁部分Ｓａ２及びＹ方向に延びる側壁部分Ｃａ２を有し、さらに、側壁部分Ｃａ２から接地面１０ｓに向かってＺ方向に延びる側壁部分Ｓａ３を有している。また、側壁１０Ｗｂ2は、溝底２０ｂ側から１段目の段Ｐ１を構成する、Ｚ方向に延びる側壁部分Ｓｂ１及びＹ方向に延びる側壁部分Ｃｂ１を有し、２段目の段Ｐ２を構成する、側壁部分Ｃｂ１から接地面１０ｓ側に向かってＺ方向に延びる側壁部分Ｓｂ２及びＹ方向に延びる側壁部分Ｃｂ２を有し、さらに、側壁部分Ｃｂ２から接地面１０ｓに向かってＺ方向に延びる側壁部分Ｓｂ３を有している。なお、図３Ｂに示す例では、側壁部分Ｓａ３及びＳｂ３と、接地面１０ｓとが構成する段を、３段目の段Ｐ２という。上記構成によれば、Ｙ方向に向かうエッジ成分を増加させることができ、より高い排水性能を得ることができる。また、幅方向陸部１０の接地時には、接地面１０ｓ側から順に、段Ｐ３、段Ｐ２が順に圧縮され、接地面積を十分に確保することができる。
【００３３】
図３Ｃは、両側壁１０Ｗａ3及び１０Ｗｂ3を有する幅方向陸部１０を示している。幅方向陸部１０の最も溝底２０ｂ側の段が、接地面１０ｓ側から溝底２０ｂ側に向かって、幅方向陸部１０の延在方向に直交する長さが漸増する形状を有している。即ち、図示例のとおり、幅方向陸部１０の最も溝底側の段Ｐ１は、接地面１０ｓ側の幅方向陸部１０の延在方向に直交する長さｗ３から、溝底２０ｂ側の幅方向陸部１０の延在方向に直交する最大長さｗ１に至るまで、幅方向陸部１０の延在方向に直交する長さが漸増している。幅方向陸部１０の接地時には、接地面１０ｓ側から段Ｐ２が圧縮されるが、段Ｐ１を溝底２０ｂ側に向かって長さが漸増する構成とすることによって、段Ｐ１の圧縮に抗する剛性が高まり、効率的に接地面積を確保することができる。
【００３４】
なお、図示例では、爪先Ｔ側における、幅方向陸部１０と溝底２０ｂとの境界ｅ１から、段Ｐ１の側壁部分Ｃａ１までのＹ方向距離ｗ４と、湾曲部３側における、幅方向陸部１０と溝底２０ｂとの境界ｅ２から、段Ｐ１の側壁部分Ｃｂ１までのＹ方向距離ｗ５とは、同一の長さであるが、異なる長さとしても良い。例えば、Ｙ方向距離ｗ４を、Ｙ方向距離ｗ５よりも長くすると、段Ｐ１の溝底２０ｂまでの傾斜が、爪先Ｔ側より湾曲部３側でなだらかになる。すると、ソール底面５ｓの路面Ｓに対する接地部分が、湾曲部３側から爪先Ｔ側へと推移した際に、幅方向陸部１０の偏摩耗を抑制することができる。
【００３５】
なお、Ｙ方向距離ｗ４及びＹ方向距離ｗ５は、競技用義足１の着用者や競技種目等により異なるが、それぞれ、０．５ｍｍ以上２．５ｍｍ以下とすることが好ましい。０．５ｍｍ以上とすることによって、排水性能を高めながら、幅方向陸部１０の剛性を確保することができ、２．５ｍｍ以下とすることによって、路面Ｓとの接地面積を確保しながら、排水性能を十分に発揮することができる。好適には、０．５ｍｍ以上１．５ｍｍ以下であり、より好適には、０．５ｍｍ以上１．０ｍｍ以下である。
【００３６】
また、図３Ｄでは、側壁１０Ｗａ4の側壁部分Ｃａ１から接地面１０ｓに向かってＺ方向に延びる側壁部分Ｓａ２が、幅方向陸部１０の外部に曲率半径の中心を有する円弧ｒ１を有し、側壁１０Ｗｂ4の側壁部分Ｃｂ１から接地面１０ｓに向かってＺ方向に延びる側壁部分Ｓｂ２が、幅方向陸部１０の外部に曲率半径の中心を有する円弧ｒ２を有している。側壁部分Ｓａ２及びＳｂ２が弧を含む構成とすることによって、幅方向陸部１０の剛性を高めることができる。
【００３７】
次に、図４Ａ、４Ｂ、４Ｃ、４Ｄ及び図２を参照して、幅方向陸部１０の好適な配置及び数について説明する。
【００３８】
図４Ａ、４Ｂ、４Ｃ、４Ｄは、競技用義足１を着用した着用者が直進走行を行った場合における、足部２の動作とソール底面５ｓとの接地形態を段階的に説明するための図である。各図面の上部は、足部２及びソール５の側面図であり、各図面の下部は、競技用義足１を着用した着用者が直進走行動作を行った際の、ソール底面５ｓの接地形態の変遷を示している。
【００３９】
図４Ａは、着用者が持ち上げた競技用義足１を路面Ｓに降ろし、全体重が競技用義足１に負荷された状態を示している。図面の下部に示すとおり、義足１を路面Ｓに降ろした当初は、ソール底面５ｓの接地域は該底面の中央部付近にあり、ソール底面５ｓの湾曲部３側端部及び爪先Ｔから、Ｙ方向において間隔を空けた領域である。
【００４０】
図４Ｂは、図４Ａの状態から、着用者が全体重を競技用義足１に負荷したままで、前に向かって踏み込んだ状態を示している。健常者の走行の場合、最初に接地する靴裏の踵側から爪先側に向けて順に接地していく踏み込み形態が一般的であるが、競技用義足１は、最初に接地したところよりも湾曲部３側に接地領域が移動している。
【００４１】
図４Ｃは、着用者が、競技用義足１を着用した側と反対の足を前方に振り出し、競技用義足１の蹴り出し動作を開始した状態を示している。この蹴り出し動作に入ると、競技用義足１は、ソール底面５ｓの、図４Ａ及び図４Ｂで示した領域よりも爪先Ｔ側の領域で接地している。
【００４２】
図４Ｄは、着用者が競技用義足１を蹴り出す最終段階の、路面Ｓから離れる直前の状態を示している。ソール底面５ｓの爪先Ｔから蹴り出すために、図４Ｃよりもさらに爪先Ｔ側の領域で接地している。
【００４３】
本実施形態では、図２のとおり、幅方向陸部１０を、上記の図４Ａに示す接地領域に相当する、領域に配置している。即ち、着用者が持ち上げた競技用義足１を路面Ｓに降ろし、全体重が競技用義足１に負荷された状態である。ここでは、着用者が競技用義足１に全体重を負荷しても体全体のバランスが保たれるように、該領域が路面Ｓと十分にグリップすることが肝要である。このような領域に幅方向陸部１０を配置して、階段状の側壁による高いエッジ機能を付与し、路面Ｓに対するグリップ力を十分に確保して、該領域に高い防滑性能を与え、接地面積を確保することができる。
【００４４】
上述の図２では、図４Ａに示す接地領域に、幅方向陸部１０を３列配置することによって、ソール底面５ｓの防滑性能を高め、確実に接地面積を確保することができる。
【００４５】
次に、上記の図４Ａ、４Ｂ、４Ｃ、４Ｄ及び図５を参照して、他の実施形態に係る競技用義足のソールの底面５ｓの溝パターンについて説明する。なお、第２実施形態に係る競技用義足のソールは、基本的な構成は第１実施形態と同様であり、面取り部を有する幅方向陸部が形成されているが、第１実施形態とは、幅方向陸部の形状が異なる。
【００４６】
第２実施形態に係る競技用義足ソールのソール底面５ｓのパターンは、上述のソール底面５ｓの接地形態の変遷に関する知見に基づいている。
【００４７】
図５において、ソール底面５ｓは、幅方向溝２００によって区画された幅方向Ｗに延びる幅方向陸部１００、１１０、１２０及び１４０と、サイプ１３０とを有している。
【００４８】
幅方向陸部１００は、Ｗ方向へ略ジグザグ状に延びる幅方向延在部１００ａと、爪先Ｔ側に凸となる向きに屈曲する屈曲部から爪先Ｔ側に延びる爪先側突出部１００ｂと、湾曲部３側に凸となる向きに屈曲する屈曲部から湾曲部３側に延びる湾曲部側突出部１０ｃとを含む形状である。幅方向陸部１１０は、幅方向延在部１１０ａと、爪先側突出部１１０ｂと、湾曲部側突出部１１０ｃとを含む形状である。なお、幅方向陸部１４０は、幅方向陸部１１０と同様の形状である。
【００４９】
ここで、幅方向陸部１００及び１１０が配置された領域は、上記の図４Ａ及び図４Ｂに示す接地領域に想到する、着用者が最初に着地し、全体重が競技用義足１に負荷された状態で踏み込み動作を行っている領域である。従って、着用者が競技用義足１に全体重を負荷しても体全体のバランスが保たれるように、該領域が路面Ｓと十分にグリップすることが肝要である。幅方向延在部１００ａをジグザグ状の形状とし、さらに、爪先側突出部１００ｂと湾曲部側突出部１００ｃとを形成することによって、Ｙ方向に沿って効果的に排水機能を発揮させ、路面Ｓとのグリップ力を十分に確保し、義足が滑るのを抑制すること、即ち防滑性能を高めることができる。
【００５０】
なお、幅方向陸部１１０は、幅方向陸部１００よりも陸部幅を大きくしている。図４Ｂに示したように、着地直後に踏み込んだ状態においては、最初に接地した領域よりも湾曲部３側、即ち着用者が進む向きとは反対側に接地領域が変遷している。ここでは、着用者が前に進もうとする上半身の動きと、接地領域の推移の向きとが一時的に逆になっており、図４Ｃ〜４Ｄに示した、接地形態の後半の蹴り出し動作に向けて、高い推進力が必要となる段階である。幅方向陸部１００よりも湾曲部３側に、幅方向陸部１００よりも幅が大きい幅方向陸部１１０を配置して陸部比率を高めることによって、この配置領域の剛性を高め、踏み込み動作を蹴り出し動作にスムーズに繋げるための、高い推進力を実現する。
【００５１】
幅方向陸部１２０は、Ｗ方向へ略ジグザグ状に延び、且つ、陸部幅が広狭の繰り返しである、幅方向延在部１２０ａと、爪先Ｔ側に凸となる向きに屈曲する屈曲部から、幅方向延在部１２０ａの延在する向きに凸となるように延びる爪先側突出部１２０ｂと、湾曲部３側の凸となる向きに屈曲する屈曲部から、幅方向延在部１２０ａの延在する向きに凸となるように延びる湾曲部側突出部１２０ｃとを含む形状である。
【００５２】
この幅方向陸部１２０が配置された領域は、上記図４Ｃに示した、競技用義足１の蹴り出し動作を開始した際に接地する領域である。陸部幅が変化する形状とすることによって、陸部剛性を高めながら、排水性能を向上させることができる。換言すると、相対的に陸部幅の大きい部分と小さい部分とを併存させた形状とすることによって、陸部幅を大きくしながら、陸部幅を大きくすることによる滑りやすさを回避することができる。
【００５３】
また、本実施形態のソール底面５ｓは、爪先Ｔ側の端縁から湾曲部３側に向かう領域に、Ｗ方向に対して傾斜する向きに直線状に延在する、複数のサイプ１３０を備えることが好ましい。サイプ１３０が配置された領域は、上記図４Ｄに示したように、着用者が、競技用義足１を着用した側と反対の足を前方に振り出し、競技用義足１の蹴り出し動作を行うための領域である。該領域は、爪先Ｔに向けて順に接地し、着用者がソール底面５ｓで路面Ｓを押して滑らせるように接地していくため、特に摩耗が進展しやすい領域である。よって、この領域では、耐摩耗性能を高めるとともに、接地時の滑りにくさも維持することが肝要である。
【００５４】
特に、サイプ１３０が形成された爪先Ｔ側のソール底面５ｓの端縁から一定の領域は、図１における、爪先Ｔから一定の曲率半径で連続する弧Ｘ１に対応する領域であり、上記の図４Ｄに示したように、競技用義足１を着用した着用者が、蹴り出し動作を行う際に、最後に接地して、より激しい摩耗が発生する傾向があった。よって、この領域では、特に高い耐摩耗性能を備える必要がある。そこで、他の領域に形成された溝よりも幅の小さいサイプ１３０を形成し、剛性を損なうことなく、エッジ成分を配分している。よって、激しい摩耗からソール底面５ｓを保護し、足部２自体の使用寿命を長期化することができる。
【００５５】
なお、いずれの実施形態においても、ソール底面５ｓのパターンでは、幅方向陸部を区画する、幅方向溝を構成する溝壁及び溝底に、フッ素が塗布されていることが好ましい。幅方向溝の溝壁及び溝底にフッ素が塗布されていることによって、ソール底面５ｓにおける排水性能を高めることができる。
【符号の説明】
【００５６】
１：競技用義足、  ２：足部、  ２ａ：直線部、  ２ｂ、２ｃ：曲線部、  ３：湾曲部、  ４：接地部、  ４ｓ：接地域、  ５：ソール、  ５ｓ：ソール底面、  １０：幅方向陸部、  １０Ｗａ、１０Ｗｂ、１０Ｗａ2、１０Ｗｂ2、１０Ｗａ3、１０Ｗｂ3、１０Ｗａ4、１０Ｗｂ4：側壁、  ２０：幅方向溝、  ２０ｂ：溝底、  ｅ１、ｅ２：境界、  Ｐ１、Ｐ２、Ｐ３：段、  Ｓａ１、Ｓａ２、Ｓａ３、Ｃａ１、Ｃａ２、Ｓｂ１、Ｓｂ２、Ｓｂ３、Ｃｂ１、Ｃｂ２：側壁部分、  １００、１１０、１２０、１４０：幅方向陸部、  １３０：サイプ、  １００ａ、１１０ａ、１２０ａ：幅方向延在部、  １００ｂ、１１０ｂ、１２０ｂ：爪先側突出部、  １００ｃ、１１０ｃ、１２０ｃ：湾曲部側突出部、  Ｙ：ソール底面５ｓが爪先Ｔ側から湾曲部３側に延在する方向、  Ｗ：Ｙ方向と直交するソール底面５ｓの幅方向、  Ｚ：ソール５の厚み方向
【図１】
2019203287.tif 000003
【図２】
2019203287.tif 000004
【図３Ａ】
2019203287.tif 000005
【図３Ｂ】
2019203287.tif 000006
【図３Ｃ】
2019203287.tif 000007
【図３Ｄ】
2019203287.tif 000008
【図４Ａ】
2019203287.tif 000009
【図４Ｂ】
2019203287.tif 000010
【図４Ｃ】
2019203287.tif 000011
【図４Ｄ】
2019203287.tif 000012
【図５】
2019203287.tif 000013
【国際調査報告】
2019203287.tif 000014
2019203287.tif 000015
2019203287.tif 000016
2019203287.tif 000017
2019203287.tif 000018